(57)【要約】【課題】測定値の良否判定結果を聴別可能な報知音で判別できる測定装置およびその測定値の良否判定結果の報知方法の提供。【解決手段】測定値を測定情報として取り込む入力部２と、任意の音声情報を取り込む音声入力部８と、前記測定情報がディジタル化された測定データと前記音声情報がディジタル化された音声データとを読み出し可能に保持させるメモリ１２と、必要な演算・制御処理を行うＣＰＵ１０と、前記測定データと前記音声データとを含む各種データを出力する出力手段４とを少なくとも備え、ＣＰＵ１０には、基準データと前記測定データとを比較して良否判定する良否判定機能と、前記測定データの良否判定結果を前記音声データに基づいて聴別可能な音データに変換する音声変換機能とを付与し、前記測定データの判定結果は、出力手段４を構成する音声出力部７を介して良否の別での聴別が可能な報知音として出力させる。【選択図】図１
2005221349.tif 000002
【特許請求の範囲】
【請求項１】
測定値を測定情報として取り込む入力部と、任意の音声情報を取り込む音声入力部と、前記測定情報がディジタル化された測定データおよび前記音声情報がディジタル化された音声データをそれぞれ読み出し可能に保持させるメモリと、操作部からの入力操作のもとで必要な演算・制御処理を行う中央処理ユニット（ＣＰＵ）と、必要な処理を行った前記測定データと前記音声データとを含む各種データを出力する出力手段とを少なくとも備え、
前記中央処理ユニットには、予め定めてある基準データと前記測定データとを比較してその良否を判定する良否判定機能と、前記測定データの良否についての判定結果を前記音声データに基づいて相互の聴別が可能な音データに変換する音声変換機能とを付与するとともに、
前記測定データの判定結果は、前記出力手段を構成している音声出力部を介して良否の別での聴別が可能な報知音として出力させることを特徴とする測定装置。
【請求項２】
音声入力部を介して取り込まれる前記音声情報は、アナログ音声またはディジタル音声のいずれかである請求項１に記載の測定装置。
【請求項３】
測定値を測定情報として取り込む入力処理と、任意の音声情報を取り込む音声入力処理と、前記測定情報がディジタル化された測定データおよび前記音声情報がディジタル化された音声データをそれぞれ読み出し可能に保持させるデータ保持処理と、操作部からの入力操作のもとで必要な処理を行う演算・制御処理と、必要な処理を行った前記測定データと前記音声データとを含む各種データを出力する出力処理とを少なくとも含み、
前記演算・制御処理においては、予め定めてある基準データと前記測定データとを比較してその良否を判定する良否判定と、前記測定データの良否についての判定結果を前記音声データに基づいて相互の聴別が可能な音データに変換する音声変換とを行わせるとともに、前記測定データの判定結果は、前記出力処理の一環である音出力処理により良否の別での聴別が可能な報知音として出力することを特徴とする測定値の良否判定結果の報知方法。
【発明の詳細な説明】
【技術分野】
【０００１】
本発明は、測定対象物から取得される各種の測定値を予め定めてある基準値との関係で良否を判定した際に、その判定結果を聴別可能な音声として報知することができる測定装置およびその測定値の良否判定結果の報知方法に関する技術である。
【背景技術】
【０００２】
一般に、測定対象物の電圧、電流、周波数等の電気的特性を把握するためには、取得した測定値をＡ／Ｄ変換して測定データとして取り込み、該測定データに基づいた種々の演算処理を行って対応する測定結果を出力することができるようにした測定装置が用いられている。また、測定装置には、取得された上記測定値が予め定めてある基準値との関係でその許容範囲内にあるか否かを判断して、測定値の良否を判定することができるようになっているものもある。
【０００３】
この場合、測定値の良否の判定結果は、作業者が目視確認することができるように測定装置が備えるディスプレイ等の表示部に表示したり、記録紙に印字して出力することにより行われるのが一般的である。
【０００４】
図５は、判定結果を音声にて出力することができる従来タイプの測定装置の一例を概略的に示すブロック図である。同図によれば、測定装置１００は、測定端子Ｔを介して取得された測定値をＡ／Ｄ変換した測定データとして取り込む入力部１０１と、操作部１０２からの入力操作にしたがい測定データに対し所定の処理を行って表示部１０３に出力表示する中央制御ユニット（ＣＰＵ）１１０とで主に構成されている。
【０００５】
この場合、中央処理ユニット１１０には、入力部１０１を介して取り込まれた測定データを読み出し自在に保持するメモリ１１１と、測定データを予め定められている基準データと比較してその良否を判定する判定部１１２とが備えられている。この例において、測定データに対する判定結果の良否は、表示部１０３へと出力表示されるほか、その良否を判別できる音声で各別に出力されるＯＫ出力用ブザー１０４とＮＧ出力用ブザー１０５とを介して報知される。
【０００６】
このため、判定部１１２は、判定結果が「良」であればＯＫ出力用制御回路１０６を介してＯＫ出力用ブザー１０４を鳴動させ、「否」であればＮＧ出力用制御回路１０７を介してＮＧ出力用ブザー１０５を鳴動させることができる。その結果、作業者は、ＯＫ出力用ブザー１０４の鳴動音とＮＧ出力用ブザー１０５の鳴動音とを聞き分けることで、測定値の良否を判別することができることになる。
【０００７】
図６は、上記測定装置１００に適用して実施される処理手順の一例を示すフローチャート図である。同図によれば、測定開始後に取得される測定値は、入力部１０１にてＡ／Ｄ変換された測定データとして取り込まれメモリ１１１に保持される。また、同測定データは、判定部１１２にて予め定められている基準データと比較され、その良否が判定される。
【０００８】
また、その際の判定結果は、波形や数値等として表示部１０３に出力表示されるようになっている。そして、判定結果が「良（ＯＫ）」であるときを測定の停止条件としているときは、ＯＫ出力用ブザー１０４を鳴動させ、判定結果が「否（ＮＧ）」であるときを測定の停止条件としているときは、ＮＧ出力用ブザー１０５を鳴動させ、しかる後、必要な測定作業を終了する。
【０００９】
したがって、この例によれば、測定の停止条件を「良（ＯＫ）」または「否（ＮＧ）」としておくことにより、作業者は表示部１０３を目視確認することなく、ブザー音の如何により判定結果を聴別することができることになる。
【００１０】
一方、従来からある測定装置のなかには、作業効率向上の見地等から、測定結果としての測定値そのものを音声に変換して作業者が聴取できるようにした測定装置も既に提案されている。
【特許文献１】特開平９−１５００１号公報
【特許文献２】特開平９−６１１９６号公報
【発明の開示】
【発明が解決しようとする課題】
【００１１】
しかしながら、図５に示す測定装置を複数台用いて測定する場合には、それぞれのＯＫ出力用ブザー１０４およびＮＧ出力用ブザー１０５から音色を異にするブザー音を鳴動させることができるとはしても、各測定装置ごとの「良（ＯＫ）」と「否（ＮＧ）」とに対応させたブザー音を予め覚えておく必要がある不都合があるほか、例えば一斉に複数のブザー音が鳴動した場合には、どの測定装置からのブザー音であるかの判別ができなくなる不具合もあった。
【００１２】
また、特許文献１，２に開示されている測定装置による場合には、測定結果としての測定値を音声にて作業者が聴取することはできるものの、該測定値自体が予め定めてある基準データとの関係で「良」であるのか「否」であるのかの別を音で判別することができきない問題があった。
【００１３】
本発明は、従来技術にみられた上記課題を解決すべくなされたもので、その目的は、測定値の良否判定の結果を音で報知するに際して、予め作業者側で適宜に設定した音声を出力手段から出力させるようにすることで、例えば、複数台の測定装置を一度に使用して測定作業を行う場合であっても、作業者が的確に聴別できるようにして作業効率を向上させることができる測定装置およびその測定値の良否判定結果の報知方法を提供することにある。
【課題を解決するための手段】
【００１４】
本発明は、上記目的を達成するためになされたものであり、そのうちの第１の発明（測定装置）は、測定値を測定情報として取り込む入力部と、任意の音声情報を取り込む音声入力部と、前記測定情報がディジタル化された測定データおよび前記音声情報がディジタル化された音声データをそれぞれ読み出し可能に保持させるメモリと、操作部からの入力操作のもとで必要な演算・制御処理を行う中央処理ユニット（ＣＰＵ）と、必要な処理を行った前記測定データと前記音声データとを含む各種データを出力する出力手段とを少なくとも備え、前記中央処理ユニットには、予め定めてある基準データと前記測定データとを比較してその良否を判定する良否判定機能と、前記測定データの良否についての判定結果を前記音声データに基づいて相互の聴別が可能な音データに変換する音声変換機能とを付与するとともに、前記測定データの判定結果は、前記出力部を構成している音声出力部を介して良否の別での聴別が可能な報知音として出力させることを特徴としている。この場合、音声入力部を介して取り込まれる前記音声情報は、アナログ音声またはディジタル音声のいずれであってもよい。
【００１５】
また、第２の発明（報知方法）は、測定値を測定情報として取り込む入力処理と、任意の音声情報を取り込む音声入力処理と、前記測定情報がディジタル化された測定データおよび前記音声情報がディジタル化された音声データをそれぞれ読み出し可能に保持させるデータ保持処理と、操作部からの入力操作のもとで必要な処理を行う演算・制御処理と、必要な処理を行った前記測定データと前記音声データとを含む各種データを出力する出力処理とを少なくとも含み、前記演算・制御処理においては、予め定めてある基準データと前記測定データとを比較してその良否を判定する良否判定と、前記測定データの良否についての判定結果を前記音声データに基づいて相互の聴別が可能な音データに変換する音声変換とを行わせるとともに、前記測定データの判定結果は、前記出力処理の一環である音出力処理により良否の別での聴別が可能な報知音として出力することにその特徴がある。
【発明の効果】
【００１６】
本発明によれば、測定値をＡ／Ｄ変換して取り込んだ測定データを予め定めてある基準データと比較して得られる良否判定結果を、任意の音声情報を音声データとして取り込んで相互の聴別を可能に変換した音データの別に対応させた報知音として出力することができるので、表示部に出力表示される数値等をいちいち目視確認することなく、測定値の良否を判別することができる。
【００１７】
また、作業者自らが任意に音データを設定することができるので、例えば複数台の測定装置を用いて測定するような場合であっても、個々の測定装置についての測定結果の良否を自らが設定した報知音の別に判別することができ、より優れた測定作業の効率化を実現することができる。
【発明を実施するための最良の形態】
【００１８】
図１は、第１の発明に係る測定装置の構成例を示すブロック図であり、図２は、第２の発明に係る測定値の良否判定結果の報知方法についての処理手順の一例を示すフローチャート図である。
【００１９】
これらの図によれば、測定装置１は、測定端子Ｔを介して取得された電流、電圧等の各種の電気的特性に関する測定情報としての測定値をＡ／Ｄ変換した測定データとして取り込む入力部２と、操作部３からの入力操作にしたがい測定データに対し所定の処理を行うなど、必要な演算・制御処理を行ってその結果を出力手段４に出力表示する中央制御ユニット（以下、「ＣＰＵ」という）１０とで主に構成されている。
【００２０】
しかも、ＣＰＵ１０には、入力部２を介して取り込まれた測定データの良否を判定する良否判定機能と、測定データの良否についての判定結果を予め取り込んである音声データに基づいて相互の聴別が可能な音データに変換する音声変換機能とが付与されている。
【００２１】
これをより具体的に説明すれば、ＣＰＵ１０は、入力部２から取り込まれた測定データを読み出し自在に保持させたり、測定アンプやマイク等の音声入力部８から取り込まれた例えばブザー音などのような任意の音声情報からなるアナログ音声をディジタル変換した音声データとしてその読み出しを可能に保持させるメモリ１２と、測定データを予め定められている基準データと比較してその良否を判定する判定部１１とを含んで構成されている。
【００２２】
この場合、音声入力部８は、ＲＳ−２３２やＬＡＮなどの通信手段やＰＣカードなどの記録媒体から音声情報であるディジタルデータとしての音声ファイル（音声データ）を直接取り込むことができるようにするなどして構成することで、該音声ファイル（音声データ）をメモリ１２に読み出し可能に保持させておくこともできる。また、メモリ１２に保持させる音声データは、操作部３を構成している図示しない設定キーの一つ一つに予め音を割り当てておき、これらの設定キーを用いて任意のメロディーを付与して作成するものであってもよい。
【００２３】
また、判定部１１は、測定データに対する良否判定機能のほか、メモリ１２から音声データを読み出し、作業者による操作部３の設定操作により判定結果の良否に対応させた任意の属性を付与した音データへと変換することで、測定データの判定結果を出力手段４を構成しているブザー、スピーカー等の音声出力部７を介して良否の別での聴別が可能な報知音として出力させることができるようになっている。この場合の属性の付与は、音声出力制御回路６を介することにより例えば音声データを数値で指定された所定の音量や音色のほか、音の鳴動時間である所定の音長のアナログ音として再生できるようにすることで行われる。
【００２４】
次に、図１に示す測定装置に適用して行われる第２の発明に係る測定値の良否判定結果の報知方法を、図２のフローチャート図を参照して説明すれば、作業開始により測定を行って端子Ｔから取り込まれた測定値は、入力部２を経ることで測定データへとＡ／Ｄ変換されてメモリ１２に保持される。このようにしてメモリ１２に保持された測定データは、これを読み出して判定部１１にて予め定められている基準データと比較され、その良否が判定され、その判定結果は出力手段４を構成しているＬＣＤ等の表示部５に出力表示されるほか、音声出力部７を介して報知音として音声出力される。
【００２５】
すなわち、判定部１１の判定結果が「良（ＯＫ）」であれば、これに対応させるべく作業者が予め設定してメモリ１２に保持させてある音声データを読み出して音声出力制御回路６へと出力し、音声出力部７から「良（ＯＫ）」であることが聴別できるブザー音などを報知音として出力し、例えば全ての測定を終了することが停止条件であれば、測定を完了するまで繰り返し同様な処理が行われる。
【００２６】
また、判定部１２の判定結果が「否（ＮＧ）」であれば、これに対応させるべく作業者が予め設定してメモリ１２に保持させてある音声データを読み出して音声出力制御回路６へと出力し、音声出力部７から「否（ＮＧ）」であることが聴別できるブザー音などを報知音として出力し、例えば全ての測定を終了することが停止条件であれば、測定を完了するまで繰り返し同様な処理が行われる。
【００２７】
この場合、音声出力部７から出力される報知音は、メモリ１２に予め１音構成からなる音声データを記憶させておき、判定結果が「良（ＯＫ）」であれば、例えば音声データに対しボリューム・小、音長・短とする属性を、判定結果が「否（ＮＧ）」であれば、音声データに対しボリューム・大、音長・長とする属性をそれぞれ付与して作成するなど、音データに対し良否を聴別できる適宜の属性を付与して作成されたものが出力されることになる。
【００２８】
このため、作業者は、表示部４を目視確認することなく報知音を聴取するだけで測定値の良否判定結果を明確に判別することができる。しかも、報知音は、操作部３からの設定操作によりその属性を種々変化させることにより任意に設定することができるので、複数台の測定装置に対し各別に良否に対応させた報知音を設定しておくことで、作業者は測定装置の別に良否判定結果を聴別することができることになる。
【００２９】
図３は、作業者が任意に報知音を設定する際に表示部５に呼び出した項目メニュー画面５１の一例を示すものであり、該項目メニュー画面５１には、「ＯＫビプー音」と「ＯＫビープー音量」と「ＮＧビプー音」と「ＮＧビープー音量」とが項目メニューとして表示され、操作部３を操作してカーソルマーク（図中では「ＯＫビプー音」に位置しているの黒地矩形）Ｋを移動させることにより希望する項目メニューを選択することができるようになっている。
【００３０】
図４（ａ）は、項目メニュー「ＯＫビプー音」を選択した際に表示されるサブメニュー画面５２の表示例を示すものであり、この例では「ビプー音１」が選択されている。この場合、判定結果が「良（ＯＫ）」であれば「ビプー音１」を、判定結果が「否（ＮＧ）」であれば「ビプー音２」をそれぞれ選択することにより、報知音の聴別が可能になる。
【００３１】
一方、  図４（ｂ）は、図３の項目メニュー画面５１において「ＯＫビープー音量」を選択した際に表示されるサブメニュー画面５２の表示例を示すものであり、この例では「小」が選択されており、これにより音量を小さくすることができることになる。
【００３２】
すなわち、報知音をブザー音とした場合には、その音量および音長を変化させることにより、測定値の良否判定結果を聴別することができるほか、音質の異なる複数の音声データ（例えば、チャイム音等）に基づいて彼此の聴別が可能な報知音を作成することもできる。
【００３３】
以上、図示例にしたがい、本発明の構成、作用およびその効果を説明したが、本発明は上記実施形態に限られるものではない。例えば、操作部の設定キーの一つ一つに音声ファイル上の音を割り当て、設定キー操作により、適宜のメロディーを奏でる連続音声データをメモリへと記憶させておくこともできる。この場合には、連続測定した後の綜合判定結果の良否を一音で報知するだけでなく、連続測定した際の個々の判定結果を一連のメロディーに変換し、すべての判定結果が「良（ＯＫ）」であれば、旋律を同じくする連続メロディーとして出力させ、判定結果が「否（ＮＧ）」の部位についてのみ音を外した連続メロディーとして出力させることで、判定結果が「否（ＮＧ）」であった原因の詳細を聴覚を介しても直ちに検証することができることになる。
【００３４】
また、上記実施形態では、判定結果の良否の別に報知音を出力する例について説明したが、例えば判定結果が「良（ＯＫ）」であれば報知の時に限って報知音を発するようにすることもできる。さらに、測定値の良否判定は、数値である測定値自体の良否ほか、波形判定のように許容上限値と許容下限値との関係での良否も含まれる。なお、本発明によれば、報知音の出力は、図３に示すようなＯＫ出力用ブザー１０４とＮＧ出力用ブザー１０５とを不要とし、１つの音声出力部７に担当させることができるので、制御回路を含む音声出力系を１系統とすることで、回路構成を簡素化することもできる。
【図面の簡単な説明】
【００３５】
【図１】本発明における第１の発明に係る測定装置の一例を概略的に示すブロック図。
【図２】本発明おける第２の発明に係る測定値の良否判定結果の報知方法の処理手順の一例を示すフローチャート図。
【図３】作業者が任意に報知音を設定する際に表示部に呼び出した項目メニュー画面の一例を示す説明図。
【図４】項目メニュー画面とサブメニュー画面との関係を示す説明図であり、そのうちの（ａ）は、「ＯＫビプー音」を選択した場合の表示例を、（ｂ）は「ＯＫビプー音量」を選択した場合の表示例をそれぞれ示す。
【図５】従来からある測定装置の一例を概略的に示すブロック図。
【図６】測定値の良否判定結果の報知手法についての従来例を示すフローチャート図。
【符号の説明】
【００３６】
１  測定装置
２  入力部
３  操作部
４  出力手段
５  表示部
５１  項目メニュー画面
５２  サブメニュー画面
６  音声出力制御回路
７  音声出力部
１０  中央制御ユニット（ＣＰＵ）
１１  判定部
１２  メモリ
Ｔ  端子
Ｋ  カーソル
【図１】
2005221349.tif 000003
【図２】
2005221349.tif 000004
【図３】
2005221349.tif 000005
【図４】
2005221349.tif 000006
【図５】
2005221349.tif 000007
【図６】
2005221349.tif 000008